(57)【要約】      （修正有）【課題】広い画角を有し、光学系の小型化と防振群の軽量化を両立したズームレンズを得る。【解決手段】変倍時、負の第１レンズ群Ｌ１と正の第２レンズ群Ｌ２の群間が変化し、第１レンズ群Ｌ１は、少なくとも１枚の負レンズ、少なくとも１枚の正レンズを有し、第２レンズ群は、少なくとも２枚の正レンズ、少なくとも１枚の負レンズを有し、広角端無限遠合焦時に負の後続レンズ群は、少なくとも１枚の正レンズ、少なくとも１枚の負レンズを有し、第２レンズ群の一部を光軸と垂直成分を有する方向に変位可能に構成し、第１レンズ群の焦点距離をｆ１、第２レンズ群の焦点距離をｆ２、後続レンズ群の広角端無限遠合焦時の合成焦点距離をｆ２Ｒｗ、第２レンズ群と後続レンズ群の広角端無限遠合焦時の合成焦点距離をｆＲｗ、光軸と垂直成分を有する方向に変位可能な第２レンズ群の部分レンズ群の焦点距離をｆｉｓ、を各々適切に設定する。【選択図】図１
2018025572.tif 000002
【特許請求の範囲】
【請求項１】
物体側から像側へ順に、
負の屈折力の第１レンズ群、
正の屈折力の第２レンズ群、
１以上のレンズ群を有し、広角端無限遠合焦時における合成屈折力が負の後続レンズ群、にて構成され、
少なくとも前記第１レンズ群と前記第２レンズ群の群間隔を変化させて変倍するズームレンズであって、
前記第１レンズ群は、少なくとも１枚の負レンズ、少なくとも１枚の正レンズを有し、
前記第２レンズ群は、少なくとも２枚の正レンズ、少なくとも１枚の負レンズを有し、
前記後続レンズ群は、少なくとも１枚の正レンズ、少なくとも１枚の負レンズを有し、
前記第２レンズ群の一部を光軸と垂直成分を有する方向に変位可能に構成し、
前記第１レンズ群の焦点距離をｆ１、
前記第２レンズ群の焦点距離をｆ２、
前記後続レンズ群の広角端無限遠合焦時の合成焦点距離をｆ２Ｒｗ、
前記第２レンズ群と前記後続レンズ群の広角端無限遠合焦時の合成焦点距離をｆＲｗ、
前記光軸と垂直成分を有する方向に変位可能な第２レンズ群の部分レンズ群の焦点距離をｆｉｓ、
とするとき、
以下の条件式を満足することを特徴とするズームレンズ。
０．９  ＜  ｜ｆ１｜／ｆＲｗ  ＜  ３．０
−０．６０  ＜  ｆ２／ｆ２Ｒｗ  ＜  −０．０３
１．０  ＜  ｆｉｓ／ｆ２  ＜  ５．０
【請求項２】
前記光軸と垂直成分を有する方向に変位可能な第２レンズ群の部分レンズ群は、
２枚以下のレンズにて構成されること、を特徴とする請求項１に記載のズームレンズ。
【請求項３】
以下の条件式を満足することを特徴とする請求項１または２に記載のズームレンズ。
１．４  ＜  ｜ｆ１｜／ｆｗ  ＜  ４．０
ここで、ｆｗは、光学系全系の焦点距離
【請求項４】
以下の条件式を満足することを特徴とする請求項１乃至３のいずれか１項に記載のズームレンズ。
０．５  ＜  ｜１−βｉｓｔ｜＊βｉｓＲｔ  ＜  ２．０
ここで、βｉｓｔは、前記光軸と垂直成分を有する方向に変位可能な部分群の望遠端無限遠物体合焦時における横倍率、
βｉｓｒｔは、前記光軸と垂直成分を有する方向に変位可能な部分群より像側に配置される群の、望遠端無限遠物体合焦時における合成横倍率である。
【請求項５】
以下の条件式を満足することを特徴とする請求項１乃至４のいずれか１項に記載のズームレンズ。
０．０３  ＜  ｆ１／ｆ２Ｒｗ  ＜  １．２
【請求項６】
以下の条件式を満足することを特徴とする請求項１乃至５のいずれか１項に記載のズームレンズ。
０．０２  ＜  Ｌｉｓ／Ｄ２  ＜  １．０
【請求項７】
前記第２レンズ群は物体側から順に、
前側部分レンズ群と、
後側部分レンズ群とからなり、
前記後側部分レンズ群を光軸と垂直成分を有する方向に変位可能とすることを特徴とする請求項１乃至６のいずれか１項に記載のズームレンズ。
【請求項８】
以下の条件式を満足することを特徴とする請求項７に記載のズームレンズ。
−０．２  ＜  βｉｓｗ  ＜  ０．８
ここで、βｉｓｗは、前記光軸と垂直成分を有する方向に変位可能な部分群の広角端無限遠物体合焦時における横倍率である。
【請求項９】
前記第２レンズ群は物体側から順に、
前側部分レンズ群と、
後側部分レンズ群とからなり、
前記前側部分レンズ群を光軸と垂直成分を有する方向に変位可能とすることを特徴とする請求項１乃至６のいずれか１項に記載のズームレンズ。
【請求項１０】
以下の条件式を満足することを特徴とする請求項９に記載のズームレンズ。
−８．０  ＜  （Ｒｉｓｒ＋Ｒｉｓｆ）／（Ｒｉｓｒ−Ｒｉｓｆ）  ＜  ０．０
ここで、Ｒｉｓｆは、前記光軸と垂直成分を有する方向に変位可能な部分群の最も物体側面における近軸曲率半径、
Ｒｉｓｒは、前記光軸と垂直成分を有する方向に変位可能な部分群の最も像側面における近軸曲率半径である。
【請求項１１】
前記第２レンズ群は物体側から順に、
第１部分レンズ群と、
第２部分レンズ群と、
第３部分レンズ群とからなり、
前記第３部分レンズ群を光軸と垂直成分を有する方向に変位可能とすることを特徴とする請求項１乃至６のいずれか１項に記載のズームレンズ。
【発明の詳細な説明】
【技術分野】
【０００１】
本発明はズームレンズに関する。例えば、スチルカメラ、ビデオカメラ、デジタルスチルカメラ等の撮像光学系に好適な手ぶれ補正機構を有するズームレンズに関するものである。
【背景技術】
【０００２】
近年、大型の電子撮像素子を用いたデジタルスチルカメラ、ビデオカメラ等の撮像装置においては、広い画角を有し、小型なズームレンズが要望されている。また、暗所での撮影やシャッタースピードを制御した作画など長時間露光を行う際に、カメラ手持ちでの撮影を実現するために、手ぶれ補正機能をズームレンズに搭載することが要望されている。ここで、手ぶれ補正のための駆動機構を含めてズームレンズを小型化するために、手ぶれ補正に用いる防振レンズ群は小型かつ軽量であることが求められている。
【０００３】
広い画角を有するズームレンズにおいて光学系を小型化できるレンズ構成として、負群先行型の光学系が知られている。また、物体側から像側へ順に、負、正、負の屈折力のレンズ群で構成する３群ズームレンズにおいて、第２レンズ群の一部を防振群とするズームレンズが知られている。（特許文献１）部分レンズ群を防振群とすることで、防振群の軽量化が実現できる。
【０００４】
また近年、電子撮像素子において、オンチップマイクロレンズ配置の最適化により、センサへの光線の入射角の許容幅を拡大することが行われている。
【先行技術文献】
【特許文献】
【０００５】
【特許文献１】特開２０１２−２７３１１号公報
【発明の概要】
【発明が解決しようとする課題】
【０００６】
前述した負群先行型のズームレンズにおいて光学系全系の小型化を図りつつ、広い画角を有し高い光学性能を得るには各レンズ群のレンズ構成や各レンズ群の屈折力等を適切に設定することが重要になってくる。例えば、第１レンズ群と後続レンズ群の屈折力配置、後続レンズ群内における屈折力配置等を適切に設定することが重要である。また、部分レンズ群にて防振を実現する場合、レンズ群を適切に分割することが重要である。これらの構成が不適切であると、光学系全系の小型化を図りつつ、広い画角を有し高い光学性能を得ることと、防振群を軽量化することの両立が大変困難になってくる。
【０００７】
特許文献１では、負の屈折力の第１レンズ群、正の屈折力の第２レンズ群、負の屈折力の第３レンズ群にて構成された３群構成のズームレンズを開示している。また、第２レンズ群の部分群にて防振を行う構成とすることで、防新群の軽量化を実現している。特許文献１の実施例４のズームレンズは、撮像素子サイズが１．０型程度、広角端の撮影半画角３９°程度、ズーム比３倍程度である。開示されている屈折力配置を維持したまま、ズームレンズを更なる広角化、像面サイズの更なる大型化を図ろうとした場合、バックフォーカスが増大してしまう。つまり、光学系の全長が大型化するとともに前玉径も増大することとなり、光学系の小型化、広角化と像面サイズの大型化を両立することは困難となる。
【０００８】
また、第１レンズ群の屈折力が後続レンズ群に比して強い構成をとっているため、更なる広角化を図ろうとした場合、第１レンズ群の屈折力が強まるため、とくに像面彎曲変動の補正が困難となる。
【０００９】
本発明は、広い画角を有し、光学系の小型化と防振群の軽量化を両立したズームレンズの提供を目的とする。
【課題を解決するための手段】
【００１０】
本発明のズームレンズは、  
物体側から像側へ順に、
負の屈折力の第１レンズ群、
正の屈折力の第２レンズ群、
１以上のレンズ群を有し、広角端無限遠合焦時における合成屈折力が負の後続レンズ群
にて構成され、
少なくとも前記第１レンズ群と前記第２レンズ群の群間隔を変化させて変倍するズームレンズであって、
前記第１レンズ群は、少なくとも１枚の負レンズ、少なくとも１枚の正レンズを有し、
前記第２レンズ群は、少なくとも２枚の正レンズ、少なくとも１枚の負レンズを有し、
前記後続レンズ群は、少なくとも１枚の正レンズ、少なくとも１枚の負レンズを有し、
前記第２レンズ群の一部を光軸と垂直成分を有する方向に変位可能に構成し、
前記第１レンズ群の焦点距離をｆ１、
前記第２レンズ群の焦点距離をｆ２、
前記後続レンズ群の広角端無限遠合焦時の合成焦点距離をｆ２Ｒｗ、
前記第２レンズ群と前記後続レンズ群の広角端無限遠合焦時の合成焦点距離をｆＲｗ、
前記光軸と垂直成分を有する方向に変位可能な第２レンズ群の部分レンズ群の焦点距離をｆｉｓ、
とするとき、
以下の条件式を満足することを特徴としている。
【００１１】
０．９  ＜  ｜ｆ１｜／ｆＲｗ  ＜  ３．０
−０．６０  ＜  ｆ２／ｆ２Ｒｗ  ＜  −０．０３
１．０  ＜  ｆｉｓ／ｆ２  ＜  ５．０
【発明の効果】
【００１２】
本発明によれば、広い画角を有し、光学系の小型化と防振群の軽量化を両立したズームレンズが得られる。
【図面の簡単な説明】
【００１３】
【図１】実施例１の広角端におけるレンズ断面図
【図２】（Ａ）、（Ｂ）、（Ｃ）  実施例１の広角端、中間のズーム位置、望遠端における無限遠合焦時の縦収差図
【図３】（Ａ）、（Ｂ）  実施例１の基準状態（ぶれ補正なし）、防振状態（０．３度回転ぶれ補正）における無限遠合焦時の横収差図
【図４】実施例２の広角端におけるレンズ断面図
【図５】（Ａ）、（Ｂ）、（Ｃ）  実施例２の広角端、中間のズーム位置、望遠端における無限遠合焦時の縦収差図
【図６】（Ａ）、（Ｂ）  実施例２の望遠端基準状態（ぶれ補正なし）、防振状態（０．３度回転ぶれ補正）における無限遠合焦時の横収差図
【図７】実施例３の広角端におけるレンズ断面図
【図８】（Ａ）、（Ｂ）、（Ｃ）  実施例３の広角端、中間のズーム位置、望遠端における無限遠合焦時の縦収差図
【図９】（Ａ）、（Ｂ）  実施例３の望遠端基準状態（ぶれ補正なし）、防振状態（０．３度回転ぶれ補正）における無限遠合焦時の横収差図
【図１０】実施例４の広角端におけるレンズ断面図
【図１１】（Ａ）、（Ｂ）、（Ｃ）  実施例４の広角端、中間のズーム位置、望遠端における無限遠合焦時の縦収差図
【図１２】（Ａ）、（Ｂ）  実施例４の望遠端基準状態（ぶれ補正なし）、防振状態（０．３度回転ぶれ補正）における無限遠合焦時の横収差図
【図１３】実施例５の広角端におけるレンズ断面図
【図１４】（Ａ）、（Ｂ）、（Ｃ）  実施例５の広角端、中間のズーム位置、望遠端における無限遠合焦時の縦収差図
【図１５】（Ａ）、（Ｂ）  実施例５の望遠端基準状態（ぶれ補正なし）、防振状態（０．３度回転ぶれ補正）における無限遠合焦時の横収差図
【発明を実施するための形態】
【００１４】
以下に、本発明の好ましい実施の形態を、添付の図面に基づいて詳細に説明する。本発明のズームレンズは、物体側から像側へ順に、負の屈折力の第１レンズ群、正の屈折力の第２レンズ群、１以上のレンズ群を有し、広角端無限遠合焦時における合成屈折力が負の後続レンズ群にて構成されている。そして変倍に際して、少なくとも第１レンズ群と第２レンズ群の間隔が変化する。また、第１レンズ群は、少なくとも１枚の負レンズ、少なくとも１枚の正レンズを有している。また、第２レンズ群は、少なくとも２枚の正レンズ、少なくとも１枚の負レンズを有している。また、後続レンズ群は、少なくとも１枚の正レンズ、少なくとも１枚の負レンズを有している。
【００１５】
そして、第２レンズ群の一部を光軸と垂直成分を有する方向に変位可能に構成している。ここで、軸外光線の高さが低くレンズ径が小型な第２レンズ群において、その部分レンズ群を防振群とすることで、防振レンズ群の軽量化が実現できる。
【００１６】
図１、図４、図７、図１０、図１３は本発明の実施例１乃至５の広角端におけるレンズ断面図である。図２、図５、図８、図１１、図１４は本発明の実施例１乃至５の縦収差図である。収差図において、（Ａ）は広角端、（Ｂ）は中間のズーム位置、（Ｃ）は望遠端を表している。図３、図６、図９、図１２、図１５は本発明の実施例１乃至５の横収差図である。収差図において、（Ａ）は望遠端基準状態（ぶれ補正なし）、（Ｂ）は望遠端防振状態（０．３度回転ぶれ補正）を表している。
【００１７】
各実施例のズームレンズは撮像装置に用いられる撮影レンズ系であり、レンズ断面図において、左方が被写体側（物体側）で、右方が像側（後方）である。レンズ断面図においてＬ１は負の屈折力（光学的パワー＝焦点距離の逆数）の第１レンズ群である。Ｌ２は負の屈折力（光学的パワー＝焦点距離の逆数）の第２レンズ群である。Ｌ２Ｒは１以上のレンズ群を有する後続レンズ群である。
【００１８】
ＳＳは開口絞りである。ＩＰはＣＣＤセンサやＣＭＯＳセンサなどの固体撮像素子（光電変換素子）の撮像面に相当する像面である。矢印は広角端から望遠端へのズーミングに際して、各レンズ群の移動軌跡を示している。
【００１９】
縦収差図において、ｄ-line、ｇ-lineは各々ｄ線及びｇ線、ΔＭ、ΔＳはメリディオナル像面、サジタル像面である。倍率色収差はｇ線によって表している。ωは撮影半画角（度）、ＦｎｏはＦナンバーである。横収差図において、ｄ-line、ｇ-lineは各々ｄ線及びｇ線、ｍｅｒｉ、ｓａｇｉはメリディオナル方向、サジタル方向である。ｈｇｔは像高である。
【００２０】
各実施例のズームレンズは物体側から像側へ順に、負の屈折力の第１レンズ群Ｌ１、負の正屈折力の第２レンズ群Ｌ２、１以上のレンズ群を有し広角端無限遠合焦時における合成屈折力が負の後続レンズ群Ｌ２Ｒにて構成している。
【００２１】
ここで、負の屈折力のレンズ群が先行するネガティブリード型（負群先行型）のズームタイプを採用することで、広画角化を図りつつ、全系の小型化を実現している。更に広角端において、第２レンズ群Ｌ２と後続レンズ群Ｌ２Ｒの屈折力配置を正と負の望遠型とすることで、レンズ全長の小型化を実現している。
【００２２】
また、第１レンズ群は少なくとも１枚の負レンズ、少なくとも１枚の正レンズを有する構成としている。また、第２レンズ群は少なくとも２枚の正レンズ、少なくとも１枚の負レンズを有しする構成としている。また、後続レンズ群は少なくとも１枚の正レンズ、少なくとも１枚の負レンズを有する構成としている。この構成により、各レンズ群内で単色収差、色収差を補正し、ズーム全域で良好な光学性能を維持している。
【００２３】
また、第２レンズ群の一部を光軸と垂直成分を有する方向に変位可能に構成し、手ぶれ等による光学系の傾きによる画像のぶれを補正可能としている。
【００２４】
次に、各実施例の構成について説明する。実施例１乃至３では、第２レンズ群Ｌ２を物体側から順に、前側部分レンズ群Ｌ２ａと後側部分レンズ群Ｌ２ｂにて構成し、後側部分レンズ群Ｌ２ｂを光軸と垂直成分を有する方向に変位可能とすることで防振を実現している。
【００２５】
実施例４では、第２レンズ群Ｌ２を物体側から順に、前側部分レンズ群Ｌ２ａと後側部分レンズ群Ｌ２ｂにて構成し、前側部分レンズ群Ｌ２ａを光軸と垂直成分を有する方向に変位可能とすることで防振を実現している。
【００２６】
実施例５では、第２レンズ群Ｌ２を物体側から順に、第１部分レンズ群Ｌ２ａ、第２部分レンズ群Ｌ２ｂ、第３部分レンズ群Ｌ２ｃにて構成し、第２部分レンズ群Ｌ２ｂを光軸と垂直成分を有する方向に変位可能とすることで防振を実現している。
【００２７】
上記構成により、いずれの実施例においても手ぶれ補正に用いる防振レンズ群の軽量化が可能となり、駆動機構を含めた鏡筒全系の小型化を実現することができる。
【００２８】
また、実施例１、４、５では、第３レンズ群Ｌ３にて後続レンズ群Ｌ２Ｒを構成し、光学系全体として３群ズームレンズを構成している。これによれば、ズーミングに際して可動となるレンズ群が減少され、鏡筒構造を含めた光学系小型化を容易としている。
【００２９】
また、実施例２、３では、第３レンズ群Ｌ３、第４レンズ群Ｌ４にて後続レンズ群Ｌ２Ｒを構成し、光学系全体として４群ズームレンズを構成している。これによれば、ズーム中間における収差補正の自由度を得て、ズーム全域において、像面彎曲の変動をより良好に補正することを容易としている。
【００３０】
各実施例において第１レンズ群Ｌ１の焦点距離をｆ１、第２レンズ群Ｌ２の焦点距離をｆ２、後続レンズ群Ｌ２Ｒの広角端無限遠合焦時の合成焦点距離をｆ２Ｒｗ、第２レンズ群Ｌ２と後続レンズ群Ｌ２Ｒの広角端無限遠合焦時の合成焦点距離をｆＲｗとする。また、光軸と垂直成分を有する方向に変位可能な第２レンズ群Ｌ２の部分レンズ群の焦点距離をｆｉｓとする。このとき、
０．９  ＜  ｜ｆ１｜／ｆＲｗ  ＜  ３．０      ・・・（１）
−０．６０  ＜  ｆ２／ｆ２Ｒｗ  ＜  −０．０３      ・・・（２）
１．０  ＜  ｆｉｓ／ｆ２  ＜  ５．０      ・・・（３）
なる条件式を満足している。
【００３１】
条件式（１）は、第１レンズ群Ｌ１と、広角端無限遠合焦時における第２レンズ群Ｌ２と後続レンズ群Ｌ２Ｒの合成焦点距離の比を規定した条件式である。広角端における光学系全系の屈折力配置を負、正の２群ズームレンズとして評価したときの、各群の屈折力配置を最適化することで、光学系全系の小型化とバックフォーカスをバランスよく維持している。条件式（１）の下限を超えると、第１レンズ群Ｌ１の焦点距離が、第２レンズ群Ｌ２と後続レンズ群Ｌ２Ｒの合成焦点距離と比して短くなりすぎる。この場合、広角端における光学系全系の屈折力配置が強い逆望遠型の配置となるため、バックフォーカスが増大するとともに、光学系の全長が大型化してしまう。
【００３２】
一方、上限を超えると、第１レンズ群Ｌ１の焦点距離が、第２レンズ群Ｌ２と後続レンズ群Ｌ２Ｒの合成焦点距離と比して長くなりすぎる。この場合、広角端において逆望遠型の屈折力配置が弱まりすぎるため、バックフォーカスが短くなりすぎ、ローパスフィルタ等の光学部材を配置するスペースの確保が困難となるためよくない。
【００３３】
条件式（２）は、第２レンズ群Ｌ２と、広角端無限遠合焦時における後続レンズ群Ｌ２Ｒの合成焦点距離の比を規定した条件式である。広角端における第２レンズ群Ｌ２と、後続レンズ群Ｌ２Ｒの屈折力配置を最適化することで、光学系全系の小型化と射出瞳位置をバランスよく維持している。条件式（２）の下限を超えると、第２レンズ群Ｌ２の焦点距離が後続レンズ群Ｌ２Ｒの合成焦点距離と比して短くなりすぎる。この場合第２レンズ群Ｌ２と、後続レンズ群Ｌ２Ｒの屈折力配置が弱い望遠型となり、光学系の全長が大型化してしまう。
【００３４】
一方、上限を超えると、第２レンズ群Ｌ２の焦点距離が後続レンズ群Ｌ２Ｒの合成焦点距離と比して長くなりすぎる。この場合第２レンズ群Ｌ２と、後続レンズ群Ｌ２Ｒの屈折力配置が極端に強い望遠型となり、光学系の全長は短縮できるものの、射出瞳位置が像面に近づきすぎ、像面への光線入射角が増大しすぎるためよくない。
【００３５】
条件式（３）は、防振レンズ群Ｌｉｓの焦点距離と、第２レンズ群Ｌ２の比を規定した条件式である。条件式（３）の下限を超えると、防振レンズ群Ｌｉｓの焦点距離が第２レンズ群Ｌ２の焦点距離と比して短くなりすぎる。この場合、防振レンズ群Ｌｉｓの屈折力が強くなりすぎる配置となり、とくに防振時の偏心コマ収差の補正が困難となる。
【００３６】
一方、上限を超えると、防振レンズ群Ｌｉｓの焦点距離が第２レンズ群Ｌ２の焦点距離と比して長くなりすぎる。この場合、防振レンズ群Ｌｉｓの屈折力が弱くなりすぎる配置となり、防振のためのレンズ群の移動量が大きくなりすぎ、駆動機構を含めた鏡筒全系が大型化してしまうためよくない。
【００３７】
上記のように各実施例では、光学系の基本構成について、条件式（１）を満たす屈折力配置としつつ、第２レンズ群Ｌ２と後続レンズ群Ｌ２Ｒについて、条件式（２）を満たす屈折力配置とすることで、広角化された光学系全系の小型化を実現している。また、変倍のため構成枚数が多い第２レンズ群Ｌ２について、条件式（３）を満たすように、防振レンズ群Ｌｉｓを適切に分割することで、防振レンズ群の軽量化を実現している。ゆえに、条件式（１）乃至（３）を全て同時に満足する構成とすることで、光学系の広角化と小型化を両立し、防振群の軽量化を実現したズームレンズが得られる。
【００３８】
また各実施例において、防振レンズ群Ｌｉｓは、２枚以下のレンズにて構成している。ここで、複合非球面レンズや接合レンズは１枚のレンズと数えることとする。これによれば、防振レンズ群Ｌｉｓを更に軽量化することができる。より好ましくは、単レンズ若しくは、接合レンズ１枚にて防振群を構成するとよい。
【００３９】
各実施例においてより好ましくは条件式（１）乃至（３）の数値範囲を次の如く設定するのが良い。
０．９５  ＜  ｜ｆ１｜／ｆＲｗ  ＜  ２．５      ・・・（１ａ）
−０．４５  ＜  ｆ２／ｆ２Ｒｗ  ＜  −０．０５      ・・・（２ａ）
１．０  ＜  ｆｉｓ／ｆ２  ＜  ４．０      ・・・（３ａ）
各実施例において、さらに好ましくは、条件式（１ａ）乃至（３ａ）の数値範囲を次の如く設定するのが良い。
１．０  ＜  ｜ｆ１｜／ｆＲｗ  ＜  ２．０      ・・・（１ｂ）
−０．３０  ＜  ｆ２／ｆ２Ｒｗ  ＜  −０．０６      ・・・（２ｂ）
１．０  ＜  ｆｉｓ／ｆ２  ＜  ３．０      ・・・（３ｂ）
また、各実施例のズームレンズにおいて、より好ましくは次の条件式のうち１つ以上を満足するのが良い。
【００４０】
光学系全系の広角端における焦点距離をｆｗとする。光軸と垂直成分を有する方向に変位可能な部分群Ｌｉｓの望遠端無限遠物体合焦時における横倍率をβｉｓｔとする。光軸と垂直成分を有する方向に変位可能な部分群より像側に配置される群（Ｌｉｓは含まない）の望遠端無限遠物体合焦時における合成横倍率をβｉｓＲｔとする。絞りＳＳと光軸と垂直成分を有する方向に変位可能な部分群Ｌｉｓの像側面頂点までの距離（絶対値）をＬｉｓとする。第２レンズ群Ｌ２の群厚（物体側面頂点から像側面頂点までの距離）をＤ２とする。このとき次の諸条件のうち１以上を満足するのが良い。
１．４  ＜  ｜ｆ１｜／ｆｗ  ＜  ４．０      …（４）
０．５  ＜  ｜１−βｉｓｔ｜＊βｉｓＲｔ  ＜  ２．０      …（５）
０．０３  ＜  ｜ｆ１｜／ｆ２Ｒｗ  ＜  １．２      …（６）
０．０２  ＜  Ｌｉｓ／Ｄ２  ＜  １．０      …（７）
本発明のズームレンズにおいて、第２レンズ群Ｌ２を、前側部分レンズ群Ｌ２ａと後側部分レンズ群Ｌ２ｂに分割し、後側部分レンズ群Ｌ２ｂを防振群Ｌｉｓとしたときは次の条件を満足するのが良い。
【００４１】
光軸と垂直成分を有する方向に変位可能な部分群Ｌｉｓの広角端無限遠物体合焦時における横倍率をβｉｓｗとする。このとき次の条件を満足するのが良い。
−０．２  ＜  βｉｓｗ  ＜  ０．８      …（８）
本発明のズームレンズにおいて、第２レンズ群Ｌ２を、前側部分レンズ群Ｌ２ａと後側部分レンズ群Ｌ２ｂに分割し、前側部分レンズ群Ｌ２ａを防振群Ｌｉｓとしたときは次の条件を満足するのが良い。
【００４２】
光軸と垂直成分を有する方向に変位可能な部分群Ｌｉｓの最も物体側の面における近軸曲率半径をＲｉｓｆ、最も像側の面における近軸曲率半径をＲｉｓｒとする。このとき次の条件を満足するのが良い。
−８．０  ＜  （Ｒｉｓｒ＋Ｒｉｓｆ）／（Ｒｉｓｒ−Ｒｉｓｆ）  ＜  ０．０
…（９）  
次に、各条件式の技術的意味について説明する。条件式（４）は、第１レンズ群Ｌ１の焦点距離を規定している。第１レンズ群Ｌ１の焦点距離を最適化することで、広い画角を有する光学系において光学系全系の小型化を実現している。
【００４３】
条件式（４）の下限を超えると、第１レンズ群Ｌ１の焦点距離が短くなりすぎ、像面彎曲のズーム変動の補正が困難となる。一方、上限を超えると、第１レンズ群Ｌ１の焦点距離が長くなりすぎ、前玉径が増大し光学系全系が大型化するのでよくない。
【００４４】
条件式（５）は、防振レンズ群Ｌｉｓと、防振レンズ群Ｌｉｓより像側に配される合成群（Ｌｉｓは含まない）の望遠端無限遠合焦時における横倍率を規定している。望遠端無限遠物体合焦時における各群の横倍率を最適化し、防振レンズ群の偏心量と像の移動量の比（敏感度）を適切な範囲に規定している。
【００４５】
条件式（５）の下限を超えると、防振レンズ群Ｌｉｓの防振に対する敏感度が高くなりすぎ、防振の制御が困難となる。一方、上限を超えると、防振レンズ群Ｌｉｓの敏感度が低くなりすぎ、防振時のレンズ群の移動量が大きくなるため、駆動装置を含む鏡筒全体が大型化してしまうのでよくない。
【００４６】
条件式（６）は、第１レンズ群Ｌ１の焦点距離と、広角端無限遠合焦時の後続レンズ群Ｌ２Ｒの合成焦点距離の比を規定している。第１レンズ群Ｌ１の焦点距離と、後続レンズ群Ｌ２Ｒを最適化することで、光学系全系の小型化と広角端における射出瞳位置をバランスよく配置している。
【００４７】
条件式（６）の下限を超えると、第１レンズ群Ｌ１の焦点距離が後続レンズ群Ｌ２Ｒの焦点距離に比して短くなりすぎ、バックフォーカスが増大することで光学系全長が大型化してしまう。一方、上限を超えると、第１レンズ群Ｌ１の焦点距離が後続レンズ群Ｌ２Ｒの焦点距離に比して長くなりすぎ、広角端において射出瞳位置が像面に近づきすぎ、像面への光線入射角が増大しすぎるためよくない。
【００４８】
条件式（７）は、絞りＳＳと防振レンズ群Ｌｉｓの位置関係を規定している。絞りＳＳと防振レンズ群Ｌｉｓの配置を最適化することで、防振レンズ群Ｌｉｓの径を小型化している。
【００４９】
条件式（７）の下限を超えると、絞りＳＳと防振レンズ群Ｌｉｓの距離が近づきすぎる配置となるため、絞りＳＳと防振レンズ群Ｌｉｓの駆動機構の干渉回避が困難となる。一方、上限を超えると、絞りＳＳと防振レンズ群Ｌｉｓの距離が離れすぎる配置となるため、防振レンズ群Ｌｉｓの径が大型化してしまうのでよくない。
【００５０】
条件式（８）は、防振レンズ群Ｌｉｓの広角端無限遠合焦時における横倍率を規定している。防振レンズ群Ｌｉｓの横倍率を最適化することで、防振時における偏芯コマ収差を補正しやすくしている。第２レンズ群Ｌ２を物体側部分群Ｌ２ａ、像側部分群Ｌ２ｂに分割し、像側部分群Ｌ２ｂを防振レンズ群Ｌｉｓとした場合、条件式（８）を満たす、弱い発散光束中または、収斂光束中にＬｉｓ配置することで、球面収差の発生を抑制し防振時の偏芯コマ収差を補正している。
【００５１】
条件式（８）の下限、上限のいずれを超えた場合も、防振レンズ群Ｌｉｓで生じる球面収差の抑制が困難となり、防振時の偏芯コマの補正が困難となるのでよくない。
【００５２】
条件式（９）は、防振レンズ群Ｌｉｓの形状を規定している。防振レンズ群Ｌｉｓの形状を最適化することで、防振時における偏芯コマ収差を補正している。
【００５３】
第２レンズ群Ｌ２を物体側部分群Ｌ２ａ、像側部分群Ｌ２ｂに分割し、物体側部分群Ｌ２ｂを防振レンズ群Ｌｉｓとした場合、Ｌｉｓについて条件式（９）を満たす形状とすることで、球面収差の発生を抑制し、防振時の偏芯コマ収差を補正している。
【００５４】
条件式（９）の下限を超えると、防振レンズ群Ｌｉｓの屈折力が弱まりすぎるため、防振敏感度が低下し防振のためのレンズ移動量が増大してしまう。一方、上限を超えると、防振レンズ群Ｌｉｓで生じる球面収差の抑制が困難となり、防振時の偏芯コマの補正が困難となるのでよくない。
【００５５】
各実施例において、より好ましくは条件式（４）乃至（９）の数値範囲を以下の範囲とするのがよい。
１．５  ＜  ｜ｆ１｜／ｆｗ  ＜  ３．０      …（４ａ）
０．６  ＜  ｜１−βｉｓｔ｜＊βｉｓＲｔ  ＜  １．７      …（５ａ）
０．０５  ＜  ｜ｆ１｜／ｆ２Ｒｗ  ＜  １．０      …（６ａ）
０．０５  ＜  Ｌｉｓ／Ｄ２  ＜  ０．８      …（７ａ）
−０．１  ＜  βｉｓｗ  ＜  ０．７      …（８ａ）
−５．０  ＜  （Ｒｉｓｒ＋Ｒｉｓｆ）／（Ｒｉｓｒ−Ｒｉｓｆ）  ＜  −０．０５
…（９ａ）
【００５６】
各実施例において、さらに好ましくは条件式（４ａ）〜（９ａ）の数値範囲を以下の範囲とするのがよい。
１．６  ＜  ｜ｆ１｜／ｆｗ  ＜  ２．５      …（４ｂ）
０．７  ＜  ｜１−βｉｓｔ｜＊βｉｓＲｔ  ＜  １．４      …（５ｂ）
０．０８  ＜  ｜ｆ１｜／ｆ２Ｒｗ  ＜  ０．８      …（６ｂ）
０．０８  ＜  Ｌｉｓ／Ｄ２  ＜  ０．６      …（７ｂ）
−０．０５  ＜  βｉｓｗ  ＜  ０．６      …（８ｂ）
−３．０  ＜  （Ｒｉｓｒ＋Ｒｉｓｆ）／（Ｒｉｓｒ−Ｒｉｓｆ）  ＜  −０．１
…（９ｂ）
【００５７】
［実施例１］
以下、図１を参照して、本発明の実施例１のズームレンズについて説明する。実施例１は物体側から像側へ順に、負の屈折力の第１レンズ群Ｌ１、正の屈折力の第２レンズ群Ｌ２、負の屈折力の第３レンズ群Ｌ３にて構成される３群ズームレンズである。
【００５８】
第２レンズ群は物体側から順に、物体側部分群Ｌ２ａと像側部分群Ｌ２ｂにて構成している。ここで、像側部分群Ｌ２ｂを光軸と垂直成分を有する方向に変位可能とし、防振レンズ群Ｌｉｓを構成している。また、第３レンズ群Ｌ３にて後続レンズ群Ｌ２Ｒを構成している。
【００５９】
実施例１では、広角端から望遠端へのズーミングに際し、第１レンズ群Ｌ１と第２レンズ群Ｌ２は双方の間隔が狭まるように移動している。また、第３レンズ群Ｌ３は、第２レンズ群Ｌ２との間隔を変化させながら移動している。ここで、第２レンズ群Ｌ２、第３レンズ群Ｌ３は変倍レンズ群であり、広角端から望遠端へのズーミングに際して物体側に移動することで変倍を分担している。また、第１レンズ群Ｌ１は像側に凸状の軌跡で移動することで変倍に伴う像面変動を補正している。開口絞りＳＳは第２レンズ群物体側部分群Ｌ２ａの像側に配置し、ズーミングに際して第２レンズ群Ｌ２と一体（同じ軌跡）で移動している。
【００６０】
第１レンズ群Ｌ１は物体側から像側へ順に、負レンズ、正レンズの２枚で構成している。また、第２レンズ群物体側部分群Ｌ２ａは物体側から像側へ順に、正レンズ、正レンズと負レンズの接合レンズで構成している。また、第２レンズ群像側部分群Ｌ２ｂは物体側から像側へ順に、正レンズと負レンズの接合レンズで構成している。防振群である第２レンズ群像側部分群Ｌ２ｂを接合レンズ１枚で構成することで、防振群の軽量化を実現している。また、第３レンズ群Ｌ３は物体側から像側へ順に、正レンズ、負レンズの２枚で構成している。この構成により、各レンズ群内で単色収差、色収差を補正し、ズーム全域で良好な光学性能を維持している。
【００６１】
［実施例２］
以下、図４を参照して、本発明の実施例２のズームレンズについて説明する。実施例２は物体側から像側へ順に、負の屈折力の第１レンズ群Ｌ１、正の屈折力の第２レンズ群Ｌ２、正の屈折力の第３レンズ群Ｌ３、負の屈折力の第４レンズ群Ｌ４にて構成される４群ズームレンズである。
【００６２】
第２レンズ群は物体側から順に、物体側部分群Ｌ２ａと像側部分群Ｌ２ｂにて構成している。ここで、像側部分群を光軸と垂直成分を有する方向に変位可能とし、防振レンズ群Ｌｉｓを構成している。また、第３レンズ群Ｌ３と第４レンズ群Ｌ４にて後続レンズ群Ｌ２Ｒを構成している。
【００６３】
実施例２では、広角端から望遠端へのズーミングに際し、第１レンズ群Ｌ１と第２レンズ群Ｌ２は双方の間隔が狭まるように移動している。また、第３レンズ群Ｌ３、第４レンズ群Ｌ４は、各々レンズ群間隔を変化させながら移動している。ここで、第２レンズ群Ｌ２、第３レンズ群Ｌ３、第４レンズ群Ｌ４は変倍レンズ群であり、広角端から望遠端へのズーミングに際して物体側に移動することで変倍を分担している。また、第１レンズ群Ｌ１は像側に移動することで変倍に伴う像面変動を補正している。開口絞りＳＳは第２レンズ群物体側部分群Ｌ２ａの像側に配置し、ズーミングに際して第２レンズ群Ｌ２と一体で移動している。
【００６４】
第１レンズ群Ｌ１は物体側から像側へ順に、負レンズ、負レンズ、正レンズの３枚で構成している。また、第２レンズ群物体側部分群Ｌ２ａは物体側から像側へ順に、正レンズと負レンズの接合レンズで構成している。また、第２レンズ群像側部分群Ｌ２ｂは、正レンズ１枚で構成している。防振群である第２レンズ群像側部分群Ｌ２ｂを単レンズで構成することで、防振群の軽量化を実現している。また、第３レンズ群Ｌ３は、正レンズ１枚で構成するとともに、第４レンズ群Ｌ４は物体側から像側へ順に、正レンズ、負レンズの２枚で構成し、後続レンズ群Ｌ２Ｒを構成している。
【００６５】
［実施例３］
以下、図７を参照して、本発明の実施例３のズームレンズについて説明する。実施例３のズームレンズのズームタイプは実施例２と同じである。実施例３は実施例２と比較して、各レンズ群の構成、画角、変倍比を変更したことが異なる。
【００６６】
第２レンズ群Ｌ２、第３レンズ群Ｌ３、第４レンズ群Ｌ４は変倍レンズ群であり、広角端から望遠端へのズーミングに際して物体側に移動することで変倍を分担している。また、第１レンズ群Ｌ１は像側に凸状の軌跡で移動することで変倍に伴う像面変動を補正している。
【００６７】
第１レンズ群Ｌ１は物体側から像側へ順に、負レンズ、負レンズ、負レンズ、正レンズの４枚で構成している。また、第２レンズ群物体側部分群Ｌ２ａは物体側から像側へ順に、正レンズと負レンズの接合レンズ、正レンズで構成している。また、第２レンズ群像側部分群Ｌ２ｂは、正レンズ１枚で構成している。防振群である第２レンズ群像側部分群Ｌ２ｂを単レンズで構成することで、防振群の軽量化を実現している。また、第３レンズ群Ｌ３は、正レンズ１枚で構成するとともに、第４レンズ群Ｌ４は、負レンズ１枚で構成し、後続レンズ群Ｌ２Ｒを構成している。
【００６８】
［実施例４］
以下、図１０を参照して、本発明の実施例４のズームレンズについて説明する。実施例４のズームレンズのズームタイプは実施例１と同じである。実施例４は実施例１と比較して、防振群Ｌｉｓの配置、各レンズ群の構成を、画角、変倍比を変更したことが異なる。第２レンズ群は物体側から順に、物体側部分群Ｌ２ａと像側部分群Ｌ２ｂにて構成している。ここで、物体側部分群Ｌ２ａを光軸と垂直成分を有する方向に変位可能とし、防振レンズ群Ｌｉｓを構成している。
【００６９】
第２レンズ群Ｌ２、第３レンズ群Ｌ３は変倍レンズ群であり、広角端から望遠端へのズーミングに際して物体側に移動することで変倍を分担している。また、第１レンズ群Ｌ１は像側に移動することで変倍に伴う像面変動を補正している。開口絞りＳＳは第２レンズ群像側部分群Ｌ２ｂの内部に配置し、ズーミングに際して第２レンズ群Ｌ２と一体で移動している。
【００７０】
第１レンズ群Ｌ１は物体側から像側へ順に、負レンズ、負レンズ、正レンズの３枚で構成している。また、第２レンズ群物体側部分群Ｌ２ａは、正レンズ１枚で構成している。防振群である第２レンズ群像側部分群Ｌ２ａを単レンズで構成することで、防振群の軽量化を実現している。また、第２レンズ群像側部分群Ｌ２ｂは物体側から像側へ順に、正レンズと負レンズの接合レンズ、絞り、正レンズ、正レンズで構成している。また、第３レンズ群Ｌ３は物体側から像側へ順に、正レンズ、負レンズの２枚で構成している。
【００７１】
［実施例５］
以下、図１３を参照して、本発明の実施例５のズームレンズについて説明する。実施例５のズームレンズのズームタイプは実施例１と同じである。実施例５は実施例１と比較して、防振群Ｌｉｓの配置、各レンズ群の構成を、画角、変倍比を変更したことが異なる。
【００７２】
第２レンズ群は物体側から順に、第１部分レンズ群Ｌ２ａ、第２部分レンズ群Ｌ２ｂ、第３部分レンズ群Ｌ２ｃにて構成している。ここで、第２部分群Ｌ２ｂを光軸と垂直成分を有する方向に変位可能とし、防振レンズ群Ｌｉｓを構成している。
【００７３】
開口絞りＳＳは、第２レンズ群第３部分レンズ群Ｌ３ｃの物体側に配置し、ズーミングに際して第２レンズ群Ｌ２と一体で移動している。
【００７４】
第１レンズ群Ｌ１は物体側から像側へ順に、負レンズ、負レンズ、正レンズの３枚で構成している。また、第２レンズ群第１部分レンズ群Ｌ３ａは、正レンズと負レンズの接合レンズで構成している。また、第２レンズ群第２部分レンズ群Ｌ３ｂは、正レンズ１枚で構成している。防振群である第２レンズ群第２部分レンズ群Ｌ３ｂを単レンズで構成することで、防振群の軽量化を実現している。また、第２レンズ群３部分レンズ群Ｌ３ｃは、正レンズ１枚で構成している。また、第３レンズ群Ｌ３は物体側から像側へ順に、正レンズ、負レンズの２枚で構成している。
【００７５】
いずれの実施例においても条件式（１）〜（３）を同時に満たす屈折力配置をとっている。これにより、光学系全系の小型化を実現しつつ、防振群を軽量化した広い画角を有するズームレンズを実現している。
【００７６】
ここで、無限遠物体から近距離物体へのフォーカシングに際しては、レンズ全体を物体側に移動する全体繰り出し、第１レンズ群を物体側に移動する前玉フォーカス、後続レンズ群の一部のレンズ群を移動するリアフォーカスなどが適用できる。
【００７７】
以上、本発明の好ましい実施形態について説明したが、本発明はこれらの実施形態に限定されず、その要旨の範囲内で種々の変形及び変更が可能である。例えば、各実施例のズームレンズにおいて、ズーミングに際してＦナンバーの変動を制御するため、ズーム位置に応じて開口絞りＳＳの絞り径を変化させてもよい。また、ズームレンズに残存する歪曲収差は、たとえば公知の手法を用いることで電気的に補正（画像処理での補正）しても良い。
【００７８】
次に、本発明の数値実施例を示す。各数値実施例において、ｉは物体側からの面の順序を示し、ｒｉはレンズ面の曲率半径である。ｄｉは第ｉ面と第ｉ＋１面との間のレンズ肉厚および空気間隔である。ｎｄｉ、νｄｉはそれぞれｄ線に対する屈折率、アッベ数を示す。＊は非球面であることを示す。また、ｋ、Ａ４、Ａ６、Ａ８、Ａ１０は非球面係数である。
【００７９】
非球面形状は光軸からの高さｈの位置での光軸方向の変位を面頂点を基準にしてｘとするとき
ｘ＝（ｈ2／Ｒ）／［１＋｛１−（１＋ｋ）（ｈ／Ｒ）2｝1/2］＋Ａ４・ｈ4＋Ａ６・ｈ6＋Ａ８・ｈ8＋Ａ１０・ｈ10
で表される。但しＲは近軸曲率半径である。
【００８０】
尚、バックフォーカスＢＦは最終面からの距離で表している。又、前述の各条件式と各数値実施例との関係を表１に示す。
【００８１】
（数値実施例１）
単位 mm
面データ
面番号       r        d      nd         vd       有効径
1        208.960    1.80   1.81000    41.0       25.11
2*        12.664    3.20                         19.90
3         16.286    2.50   2.01700    20.8       20.16
4         24.382  (可変)                         19.45
5*        13.957    2.30   1.81474    37.0        9.90
6      -2355.039    0.09                          9.59
7          8.897    2.20   1.59201    67.0        9.03
8         28.372    0.60   1.84666    23.8        8.17
9          7.226    3.47                          7.35
10(絞り)    ∞       2.01                          6.85
11         46.408    2.30   1.51633    64.1        8.15
12        -14.305    0.60   1.91082    35.3        8.83
13        -23.616  (可変)                          9.25
14       -106.826    1.50   1.95906    17.5       11.73
15        -38.418    1.00                         12.15
16        -17.065    1.00   1.80400    46.6       12.29
17        -41.115                                 13.19
像面        ∞   
非球面データ
第2面
K = 0.00000e+000  A 4=-7.74944e-006  A 6= 5.17570e-008  A 8=-7.88698e-010  A10=-5.09958e-012  
第5面
K = 0.00000e+000  A 4=-3.06851e-005  A 6= 5.06642e-009  A 8=-2.77918e-009  
各種データ
ズーム比      2.40 
広角     中間     望遠
焦点距離      18.10    31.24    43.39  
Fナンバー      3.48     4.69     5.90  
画角          37.04    23.62    17.47  
像高          13.66    13.66    13.66  
レンズ全長    62.00    55.27    58.18  
BF            13.66    15.87    23.54  
d 4           20.03     5.60     0.80
d13            3.73     9.23     9.26  
d17           13.66    15.87    23.54  
入射瞳位置    16.77    13.28    11.65  
射出瞳位置    -9.31   -13.60   -13.62  
前側主点位置  20.61    11.40     4.38  
後側主点位置  -4.44   -15.37   -19.85  
ズームレンズ群データ
群  始面    焦点距離  レンズ構成長  前側主点位置  後側主点位置
L1    1     -29.01         7.50         0.38         -4.93
L2a   5      23.19         8.66        -5.24        -10.11
L2b  11      45.20         2.90         1.32         -0.54
L3   14     -92.47         3.50         1.62         -0.71
単レンズデータ
レンズ  始面  焦点距離
1       1    -16.71
2       3     41.73
3       5     17.04
4       7     21.01
5       8    -11.60
6      11     21.45
7      12    -41.10
8      14     61.89
9      16    -36.97
望遠端における光学系０．３度回転に対するＬｉｓ（Ｌ２ｂ）群の光軸からの
偏芯量  ０．２７ｍｍ
【００８２】
（数値実施例２）
単位 mm
面データ
面番号       r        d      nd         vd       有効径
1         29.941    1.50   1.72916    54.7       37.67
2         13.478    8.65                         26.04
3         40.705    1.50   1.67790    54.9       25.29
4*        11.024    6.00                         20.86
5         18.240    2.70   2.00069    25.5       19.97
6         26.760  (可変)                         18.90
7*        17.689    2.00   1.85135    40.1        7.87
8        -62.242    0.80   1.80809    22.8        7.02
9         25.935    1.40                          6.37
10(絞り)    ∞       1.20                          5.68
11         51.100    1.20   1.55332    71.7        5.78
12        -18.437  (可変)                          5.79
13         20.571    1.00   1.55332    71.7        7.56
14*        36.401  (可変)                          7.73
15        119.511    1.90   1.49700    81.5        8.18
16        -10.191    1.50                          8.41
17*       -15.680    1.00   1.85135    40.1        8.30
18         35.257                                  9.19
像面        ∞   
非球面データ
第4面
K =-2.24168e+000  A 4= 1.55320e-004  A 6=-5.06705e-007  A 8= 2.71846e-009  A10=-1.37329e-011  
第7面
K = 0.00000e+000  A 4=-1.10735e-004  A 6=-9.95222e-007  A 8= 1.59093e-008  A10=-5.38566e-010  
第14面
K = 0.00000e+000  A 4=-7.50405e-005  A 6=-4.95241e-007  
第17面
K = 2.10762e+000  A 4=-2.91334e-004  A 6=-3.23086e-006  A 8= 1.83663e-008  A10=-1.43461e-009  
各種データ
ズーム比      1.91 
広角     中間     望遠
焦点距離       9.27    13.39    17.71  
Fナンバー      4.12     4.85     5.61  
画角          55.84    45.58    37.65  
像高          13.66    13.66    13.66  
レンズ全長    65.20    59.21    57.41  
BF            12.73    16.37    20.00  
d 6           16.25     6.63     1.20  
d12            2.22     2.67     2.67  
d14            1.64     1.19     1.19  
d18           12.73    16.37    20.00  
入射瞳位置    16.05    14.50    13.27  
射出瞳位置    -7.31    -7.34    -7.34  
前側主点位置  21.03    20.33    19.51  
後側主点位置   3.46     2.98     2.29  
ズームレンズ群データ
群  始面    焦点距離  レンズ構成長  前側主点位置  後側主点位置
L1    1     -18.83        20.35         4.04        -13.60
L2a   7      50.19         4.20        -2.34         -5.09
L2b  11      24.64         1.20         0.57         -0.21
L3   13      83.61         1.00        -0.82         -1.45
L4   15     -52.29         4.40         8.48          4.49
単レンズデータ
レンズ  始面  焦点距離
1       1    -34.96
2       3    -22.77
3       5     49.42
4       7     16.37
5       8    -22.56
6      11     24.64
7      13     83.61
8      15     18.99
9      17    -12.63
望遠端における光学系０．３度回転に対するＬｉｓ（Ｌ２ｂ）群の光軸からの
偏芯量  ０．０７ｍｍ
【００８３】
（数値実施例３）
単位 mm
面データ
面番号       r        d      nd         vd       有効径
1         33.199    1.80   1.80400    46.6       43.51
2         18.423    8.85                         33.64
3         65.091    1.60   1.83481    42.7       33.48
4         17.879    1.89                         28.11
5         22.013    2.50   1.52996    55.8       28.15
6*        19.907    4.91                         27.50
7         25.687    3.40   1.92286    20.9       27.34
8         46.497  (可変)                         26.51
9*        13.993    3.00   1.76802    49.2        9.02
10        -85.156    0.90   1.69895    30.1        8.64
11         13.572    1.12                          8.33
12         23.249    2.00   1.48749    70.2        8.43
13        108.551    1.50                          8.37
14(絞り)    ∞       2.50                          8.35
15         29.263    1.40   1.48749    70.2        9.09
16        -71.178  (可変)                          9.30
17         34.893    2.80   1.55332    71.7       14.86
18*       -25.023  (可変)                         15.04
19        -21.009    1.20   1.88300    40.8       15.12
20         81.202                                 16.27
像面        ∞   
非球面データ
第6面
K = 0.00000e+000  A 4=-1.76269e-005  A 6=-4.34637e-008  A 8= 5.33347e-011  A10=-1.05964e-012  
第9面
K = 0.00000e+000  A 4=-2.53669e-005  A 6=-1.21786e-007  A 8= 4.07025e-009  A10=-1.21957e-010  
第18面
K =-1.87681e+000  A 4= 5.73334e-005  A 6= 1.88569e-008  A 8= 2.77712e-010  
各種データ
ズーム比      2.64 
広角     中間     望遠
焦点距離      11.74    21.38    31.05  
Fナンバー      3.56     4.66     5.76  
画角          49.32    32.57    23.75  
像高          13.66    13.66    13.66  
レンズ全長    94.21    80.58    80.09  
BF             9.50    17.68    26.18  
d 8           30.55     9.11     0.80  
d16           10.36    10.43     9.89  
d18            2.44     2.01     1.86  
d20            9.50    17.68    26.18  
入射瞳位置    23.14    19.92    17.97  
射出瞳位置   -13.06   -13.05   -12.71  
前側主点位置  28.77    26.42    24.24  
後側主点位置  -2.24    -3.70    -4.87  
ズームレンズ群データ
群  始面    焦点距離  レンズ構成長  前側主点位置  後側主点位置
L1    1     -27.83        24.94         4.60        -16.76
L2a   9      40.21         8.52        -2.51         -8.44
L2b  15      42.73         1.40         0.28         -0.67
L3   17      26.78         2.80         1.07         -0.77
L4   19     -18.80         1.20         0.13         -0.50
単レンズデータ
レンズ  始面  焦点距離
1       1    -54.44
2       3    -29.99
3       5   -666.67
4       7     57.67
5       9     15.86
6      10    -16.69
7      12     60.23
8      15     42.73
9      17     26.78
10      19    -18.80
望遠端における光学系０．３度回転に対するＬｉｓ（Ｌ２ｂ）群の光軸からの
偏芯量  ０．１５ｍｍ
【００８４】
（数値実施例４）
単位 mm
面データ
面番号       r        d      nd         vd       有効径
1         37.541    1.50   1.58313    59.4       37.71
2*        11.501    8.93                         24.68
3         57.427    1.50   1.69680    55.5       23.69
4         12.047    4.50                         19.02
5         16.779    2.10   2.00069    25.5       18.79
6         25.970  (可変)                          18.19
7         46.278    1.57   1.48749    70.2        9.89
8        -33.287    0.60                          9.43
9*        13.373    2.10   1.85135    40.1        7.98
10       -123.221    0.80   1.80809    22.8        6.84
11         15.475    1.20                          5.92
12(絞り)    ∞       0.40                          5.15
13         52.468    1.00   1.55332    71.7        5.11
14        -97.770    2.47                          5.06
15        -42.055    1.30   1.55332    71.7        7.04
16*       -22.868  (可変)                           7.70
17        -97.423    3.00   1.49700    81.5       10.41
18        -11.253    1.25                         11.26
19*       -20.155    1.00   1.85135    40.1       11.66
20        200.195                                 12.95
像面        ∞   
非球面データ
第2面
K =-5.73984e-001  A 4= 2.75229e-005  A 6= 2.33726e-007  A 8=-1.08210e-009  A10= 1.05703e-011  
第9面
K = 0.00000e+000  A 4=-2.66026e-005  A 6= 5.93894e-007  A 8=-6.24739e-008  A10= 1.84910e-009  
第16面
K = 0.00000e+000  A 4= 1.08335e-004  A 6= 1.18276e-007  
第19面
K = 5.49452e+000  A 4=-6.89009e-005  A 6=-4.72816e-007  A 8= 5.85599e-009  A10=-2.39323e-010  
各種データ
ズーム比      1.91 
広角     中間     望遠
焦点距離       9.27    13.51    17.71  
Fナンバー      4.12     4.92     5.72  
画角          55.84    45.32    37.65  
像高          13.66    13.66    13.66  
レンズ全長    63.44    58.13    57.19  
BF            10.05    15.01    19.47  
d 6           14.77     5.60     0.81  
d16            3.41     2.30     1.70  
d20           10.05    15.01    19.47  
入射瞳位置    14.89    13.54    12.57  
射出瞳位置   -10.42    -9.50    -9.00  
前側主点位置  19.96    19.61    19.26  
後側主点位置   0.78     1.50     1.76  
ズームレンズ群データ
群  始面    焦点距離  レンズ構成長  前側主点位置  後側主点位置
L1    1     -17.39        18.53         3.52        -12.61
L2a   7      39.97         1.57         0.62         -0.44
L2b   9      25.49         9.27         1.78         -6.08
L3   17    -193.98         5.25        11.66          7.50
単レンズデータ
レンズ  始面  焦点距離
1       1    -29.05
2       3    -22.18
3       5     42.52
4       7     39.97
5       9     14.27
6      10    -16.97
7      13     61.85
8      15     88.45
9      17     25.31
10      19    -21.46
望遠端における光学系０．３度回転に対するＬｉｓ（Ｌ２ａ）群の光軸からの
偏芯量  ０．１２ｍｍ
【００８５】
（数値実施例５）
単位 mm
面データ
面番号       r        d      nd         vd       有効径
1         29.330    1.65   1.77250    49.6       32.23
2         12.358    7.07                         22.97
3         48.048    1.65   1.80400    46.6       22.44
4*        12.638    5.10                         19.48
5         22.120    2.85   2.00069    25.5       19.32
6         47.234  (可変)                         18.56
7*        12.882    2.50   1.85135    40.1        9.33
8       -174.680    0.85   1.80809    22.8        8.47
9         17.466    1.65                         7.73
10         28.625    1.70   1.48749    70.2        6.83
11        -99.579    1.15                          6.40
12(絞り)    ∞       1.60                          6.26
13         55.086    1.40   1.55332    71.7        6.40
14*      -227.842  (可変)                          6.96
15         34.785    3.10   1.49700    81.5       10.83
16        -13.325    0.80                         11.31
17*       -42.191    1.10   1.85135    40.1       11.40
18         21.811                                 11.94
像面        ∞   
非球面データ
第4面
K = 0.00000e+000  A 4=-3.80599e-005  A 6=-2.67834e-007  A 8= 9.31726e-010  A10=-2.27711e-011  
第7面
K = 0.00000e+000  A 4=-1.75071e-005  A 6=-4.62167e-008  
第14面
K = 0.00000e+000  A 4= 1.64072e-004  A 6= 1.73411e-006  
第17面
K = 1.34146e+001  A 4=-9.03121e-005  A 6= 3.56317e-007  A 8=-1.21463e-009  
各種データ
ズーム比      2.10 
広角     中間     望遠
焦点距離      10.30    16.00    21.60  
Fナンバー      3.90     4.84     5.76  
画角          52.98    40.49    32.31  
像高          13.66    13.66    13.66  
レンズ全長    70.00    63.49    63.14  
BF            12.25    18.51    24.08  
d 6           18.53     6.85     1.35   
d14            5.05     3.96     3.55  
d18           12.25    18.51    24.08  
入射瞳位置    15.34    13.84    12.85  
射出瞳位置    -9.03    -8.19    -7.87  
前側主点位置  20.66    20.25    19.85  
後側主点位置   1.95     2.50     2.48  
ズームレンズ群データ
群  始面    焦点距離  レンズ構成長  前側主点位置  後側主点位置
L1    1     -19.19        18.32         2.32        -13.97
L2a   7      39.04         3.35        -3.27         -4.70
L2b  10      45.81         1.70         0.26         -0.89
L2c  12      80.31         3.00         1.78         -0.73
L3   15    -259.74         5.00        29.04         23.07
単レンズデータ
レンズ  始面  焦点距離
1       1    -28.87
2       3    -21.78
3       5     39.34
4       7     14.18
5       8    -19.61
6      10     45.81
7      13     80.31
8      15     19.81
9      17    -16.76
望遠端における光学系０．３度回転に対するＬｉｓ（Ｌ２ｂ）群の光軸からの
偏芯量  ０．１４ｍｍ
【００８６】
【表１】
2018025572.tif 000003
【符号の説明】
【００８７】
Ｌ１    第１レンズ群
Ｌ２    第２レンズ群
Ｌ３    第３レンズ群
Ｌ４    第４レンズ群
Ｌ２ａ  物体側部分レンズ群（第１部分レンズ群）
Ｌ２ｂ  像側部分レンズ群（第２部分レンズ群）
Ｌ２ｃ  第３部分レンズ群
Ｌ２Ｒ  後続レンズ群
Ｌｉｓ  防振レンズ群
ＳＳ    開口絞り
ＩＰ    像面
【図１】
2018025572.tif 000004
【図２】
2018025572.tif 000005
【図３】
2018025572.tif 000006
【図４】
2018025572.tif 000007
【図５】
2018025572.tif 000008
【図６】
2018025572.tif 000009
【図７】
2018025572.tif 000010
【図８】
2018025572.tif 000011
【図９】
2018025572.tif 000012
【図１０】
2018025572.tif 000013
【図１１】
2018025572.tif 000014
【図１２】
2018025572.tif 000015
【図１３】
2018025572.tif 000016
【図１４】
2018025572.tif 000017
【図１５】
2018025572.tif 000018